(57)【特許請求の範囲】
【請求項１】
容器蓋において、容器内面側の底面に軸(棒)を取り付ける取り付け部分を備え、前記取り付け部分が、前記軸を公転回転させる為の首振り機能、及び/又は、前記軸を自転回転させる為の回転機能を備えたことを特徴とする軸固定機能付き容器蓋
【請求項２】
前記取り付け部分に取り付ける軸が抽出対象物を備えた軸又は抽出対象物を備え付ける機能を備えた軸であることを特徴とする請求項１記載の軸固定機能付き容器蓋。
【発明の詳細な説明】
【技術分野】
【０００１】
本願発明は、軸(棒)を取り付けることが出来る取り付け部分を備えたことを特徴とする軸固定機能付き容器蓋に関するものである。
【背景技術】
【０００２】
成分の抽出時間を短縮させる為に、ティーパック等の抽出対象物に軸を備え付けて、前記軸を手で使って掻き回すことが出来るものや、軸に掻き混ぜ部分を設けて水中を掻き回す軸は存在するが、これらの軸には、容器蓋に固定させる機能はない。
【先行技術文献】
【特許文献】
【０００３】
【特許文献１】登録実用新案３０１７５３４号
【特許文献２】特許公開２００３−０６３５６２号
【発明の概要】
【発明が解決しようとする課題】
【０００４】
本願発明軸固定機能付き容器蓋は、手を濡らさず（汚さず）に、容器外に軸に備えられた抽出対象物（ティーパック等）を取り出せることを第一の課題とし、又、容器を密封することで軸を手で掴めない状態において、抽出対象物（ティーパック等）の抽出時間を短縮させることを第二の課題とする。
【課題を解決するための手段】
【０００５】
上記課題を解決する為に、軸(棒)を取り付けることが出来る取り付け部分を備えたことを特徴とする軸固定機能付き容器蓋を作成する。
【０００６】
又、前記取り付け部分に取り付ける軸が抽出対象物を備えた軸又は抽出対象物を備え付ける機能を備えた軸であることを特徴とする軸固定機能付き容器蓋を作成する。
【０００７】
更に、前記取り付け部分が、前記軸を首振りさせることが出来る機能（首振り機能）及び/又は前記軸を回転させることが出来る機能（回転機能）を備えたことを特徴とする軸固定機能付き容器蓋を作成する。
【発明の効果】
【０００８】
軸(棒)を取り付けることが出来る取り付け部分を備えたことを特徴とする軸固定機能付き容器蓋を作成する。又、前記取り付け部分に取り付ける軸が抽出対象物を備えた軸又は抽出対象物を備え付ける機能を備えた軸であることを特徴とする軸固定機能付き容器蓋を作成する。これらの効果を下記に述べる。  
【０００９】
前記軸(棒)が備えた機能の一例として特許公開２００３−０６３５６２には、ティーパックに軸（棒）を備えさせる手段で、ティーパックを深く浸漬させたうえで、前記軸を手に持って手動で掻き混ぜることで抽出時間を短縮させることを課題にしています。
【００１０】
この場合、上記ティーパックが備えた軸（棒）の取り付け可能な容器蓋を作成する事で、前記容器蓋に前記軸が固定されることにより、容器を密封したことにより前記軸を手に持って手動で掻き混ぜられない状態においても、容器を揺り動かす手段で、前記軸によって浸漬させたティーパックを手動で掻き混ぜるのと同じ効果を与えることが出来る。以下においてティーパックを備えた前記軸（棒）を容器蓋に固定することによる効果を述べる。
【００１１】
この状態（ティーパックを備えた前記軸を容器蓋に固定した状態）で円を描いて容器を揺り動かすと、容器内に回転水流が発生する。前記軸の先端を前記容器蓋に固定した場合は、前記軸の末端に備えられたティーパックは、この回転水流による水流効果により掻き混ぜるのと同じ効果を与えられて抽出時間を短縮することが可能となる。
【００１２】
又、既成のティーパックは成分抽出後に膨張するので、抽出後は、ペットボトルの様な口幅の狭い容器からの取り出しが困難である。軸を備えたティーパックにおいて、前記軸を容器蓋に固定させることで、濡れている軸やティーパックで手を濡らす（汚す）ことなく、容器蓋をつまんで成分抽出後のティーパックを容器から引き抜いて取り出すことが可能である。その他、抽出対象物を備えていない軸を容器蓋に設けることについての効果は、００３６項で詳しく説明する。
【００１３】
次に、前記取り付け部分が、前記軸を首振りさせることが出来る機能（首振り機能）及び/又は前記軸を回転させることが出来る機能（回転機能）を備えたことを特徴とする軸固定機能付き容器蓋を作成する。この効果を下記に述べる。尚、首振り機能及び回転機能の定義の詳細については、００３３項で説明する。
【００１４】
０００９項で述べた軸を、容器内に固定する場合に、前記軸に首振り機能を持たせることで、００１１項で述べた回転水流により、前記軸に備え付けられたティーパックは容器蓋を支点として公転回転する事が出来る。この公転回転によりティーパックの抽出時間が短縮される。
【００１５】
又、前記軸を容器内に固定する場合に、前記軸に回転機能を持たせることで、００１１項で述べた回転水流により、前記軸に備え付けられたティーパックは軸を中心に自転回転する事が出来る。この自転回転によりティーパックの抽出時間が短縮される。
【００１６】
尚、前記軸に首振り機能と回転機能の両方を備えさせた容器蓋を作成する事で、前記軸に備え付けられたティーパックは、公転回転に加えて自転回転を行う事が出来るので、この双方の回転効果で、ティーパックの抽出時間が短縮される。以下においては、本願発明軸固定機能付き容器蓋を、本願発明容器蓋１と表現して説明する。
【図面の簡単な説明】
【００１７】
【図１】本願発明容器蓋１（ペットボトルキャップ１）の正面図。
【図２】実施例１における本願発明容器蓋１（ペットボトルキャップ１）の使用動作を示す正面図。
【図３】図１とは別の形態の、本願発明容器蓋１（ペットボトルキャップ１）の正面図。
【図４】実施例２における本願発明容器蓋１（ペットボトルキャップ１）の使用動作を示す正面図。
【図５】実施例３における本願発明容器蓋１（ペットボトルキャップ１）の使用動作を示す正面図。
【発明を実施するための形態】
【実施例１】
【００１８】
実施例１について説明する。実施例１では図１で示すように、軸３に首振り機能及び回転機能を備えさせるために、可撓性を持つもの（ゴムやバネ等）のチューブにベアリング等軸を回転させる機能を備えさせた取り付け部分２ａをペットボトルキャップ１の底面に備えさせる。
【００１９】
前記取り付け部分２ａは、軸３を圧入して固定できる機能を備えており、前記軸３は取り付け部分２ａに圧入する事により、ペットボトルキャップ１の底面（内面）に取り付けられる。
【００２０】
図２で示すように、前記ペットボトルキャップ１に取り付けられた前記軸３の末端付近には、テンビン状にティーパック４を取り付けることが出来る部品を備えた器具を設けて、テンビンの一方にティーパック４を、他方に浮遊手段５を備えさせる。前記浮遊手段５には、ティーパック４のバランスを整えて水平に保ち、且つ、回転水流Ｃの影響を受けやすくする効果がある。
【００２１】
又、軸３の末端には錘６を備えさえている。尚、実施例１においてはティーパック４を備え付けることが出来る部品を説明用に拡大している。もちろん、軸３を持つティーパック４は、０００３項で前述した特許公開２００３−０６３５６２号を使用しても構わない。
【００２２】
このようにして、抽出対象物（ティーパック４）を備えられた軸３がペットボトルキャップ１に固定されて使用する事が可能となる。続いて、どのような手段を用いて抽出時間を短縮させるかを以下に述べる。
【００２３】
００１８項、００１９項、００２０項で述べた状態の軸３を固定したペットボトルキャップ１を、水を満たしたペットボトル１０に挿入したものを図２で示す。
【００２４】
図２においては、このようにしてティーパック４を浸漬させた状態における動作を説明する。
【００２５】
図２において、ペットボトル１０の上部を手１２で掴んで矢印Ａの方向に手動で揺り動かすと、取り付け部分２ａが持つ可撓性により前記軸３は首振り機能を備え、ペットボトルキャップ１を支点として矢印Ｂの方向に円を描く公転回転Ｂを行う。００１１項でも述べたが、この動作により、ペットボトル１０内には矢印Ｃの方向に回転水流Ｃが発生する。
【００２６】
前記取り付け部分２ａが持つ回転機能により、前記回転水流の影響を受けて、前記軸３はティーパック４を伴い矢印Ｄの方向に自転回転Ｄを行う。実施例１においては、軸３の末端に錘６を備えさせることで、軸３の重心を低くさせている。このように、軸３の重心を低くすることで、首振り機能は大きくなる利点がある。
【実施例２】
【００２７】
次に、図３で示すペットボトルキャップ１を用いた実施例２について説明する。実施例２では、軸３に首振り機能及び回転機能を備えさせるために、突起物７を持つ取り付け部分２ｂを備えた、ペットボトルキャップ１を示している。前記取り付け部分２ｂにも実施例１同様、可撓性を備えさせた場合は、より一層の首振り機能を持つ。
【００２８】
前記軸３の先端には前記突起物７に嵌めこんで接合する事が出来るベロを持つ空間８を持つ嵌めこみ部分９を備えさせており、嵌め込むことで首振り機能および回転機能を備えさせている。前記ベロを持つ空間８を軸３の先端に備えた軸３は、発明人が新たに創造したもので、既製品ではない。
【００２９】
もちろん、ペットボトルキャップ１の取り付け部分２を前記嵌めこみ部分９の形状にして、軸３の先端を突起物７の形状にしても構わない。
【００３０】
図４においては、抽出対象物を内蔵させたカートリッジ１１を浸漬させている。もちろん、前記カートリッジ１１は、ただ単に特許公開２００３−０６３５６２号のように、軸３の末端に備え付けたものでも構わない。
【００３１】
図４において、ペットボトル１０の上部を手１２で掴んで矢印Ａの方向に手動で揺り動かすと、前述した回転水流Ｃにより、実施例１と同じ動きをして、抽出対象物の抽出時間は短縮される。
【００３２】
実施例１、２では、本願発明容器蓋１をペットボトルキャップ１で説明したが、本願発明容器蓋１はペットボトルキャップ１のみならず、様々な容器の容器蓋に本願発明の機能を備えさせることで、ペットボトル１０以外の別の容器での使用が可能となる。
【００３３】
尚、本願発明における首振り機能とは、容器蓋１に軸３を固定する際に、軸３に遊動性を持たせる機能であり、これにより図２、図３、図４で示すように、容器蓋に固定された軸３は容器蓋１を支点にした公転回転Ｂを行うことが可能となる。又、本願発明における回転機能とは、容器蓋１に備え付けられた軸３が自転回転Ｄを行うことを可能とする機能である。
【００３４】
更に、本願発明容器蓋１は、００１２項で述べたように、濡れている軸やティーパックで手を濡らす（汚す）ことなく、成分抽出後のティーパックを容器から引き抜いて取り出せる利点を備えている。
【００３５】
実施例１、２では、抽出対象物を取り付ける機能を持つ軸３についての説明をした。この説明の様に、本願発明容器蓋１は軸３が備えた抽出対象物の抽出時間を短縮させる効果がある。しかし、本願発明容器蓋１は抽出対象物を備えない軸においても以下のような効果がある。実施例３においてその効果を述べる。
【実施例３】
【００３６】
図５で示す実施例３では、図２で取り付けたティーパック４の代わりに浮遊手段５´を取り付ける。尚、実施例３で使用するペットボトル内には顆粒状の成分抽出粉末１３が混入されている。
【００３７】
図５で示すように、実施例１、２と同じ動作を行うと、錘６で重心を末端に持つ軸３に設けられた浮遊手段５、５´は、００１１項で述べた回転水流Ｃの発生により、容器内を公転回転Ｂ、自転回転Ｄを繰り返すことで水中を掻き回すので、成分抽出粉末が拡散されて成分抽出時間が短縮される。
【００３８】
この様に、抽出対象物を取り付ける機能を持つ軸３ではなく、水中を掻き回す機能を持つ軸３においても、本願発明容器蓋１の効果は発揮することが出来る。
【００３９】
以上述べたように、本願発明容器蓋１により、軸３が持つ様々機能を、容器を密封した状態でも実現することが可能となる。
【００４０】
又、００１２項で述べたが、本願発明容器蓋１を使用する事で、軸３や既成のティーパック４を、手を濡らす（汚す）ことなく、手についている汚れ（雑菌）を容器の液体に触れさせることなく、水を満たした容器への出し入れが可能となるので、軸３を用いる全ての器具を容器内で使用する場合の衛生上にも優れている。
【００４１】
実施例では可撓性のある材質のゴム管等により首振り機能を備えさせたが、バネ等の弾力性を備えた形状でも、首振り機能は実現する。
【符号の説明】
【００４２】
１    本願発明容器蓋（ペットボトルキャップ）  
２    取り付け部分
３    軸
４    ティーパック
５    浮遊手段
６    錘
７    突起物
８    ベロを備えた空間
９    嵌めこみ部分
１０  ペットボトル
１１  カートリッジ
１２  手
１３  成分抽出粉末（顆粒のダシ等）
Ａ    ペットボトル１０を揺り動かす方向を示す矢印
Ｂ    軸３の公転回転を示す矢印
Ｃ    回転水流を示す矢印
Ｄ    軸３の自転回転を示す矢印  
【要約】      （修正有）【課題】ペットボトルの様な口幅の狭い容器から、成分抽出対象後のティーパックを如何に衛生的に取り出すか、及び、軸に備えられた抽出対象物を容器内に浸漬させて密封した場合において、手を使わない状態において、抽出対象物の成分の抽出時間をいかに短縮させるかを課題とする。【解決手段】軸３を取り付けることが出来る取り付け部分２ａを備えた軸固定機能付き容器蓋。【選択図】図１【図１】
0005554855.tif 000002
【図２】
0005554855.tif 000003
【図３】
0005554855.tif 000004
【図４】
0005554855.tif 000005
【図５】
0005554855.tif 000006